(57)【要約】【課題】先端部を回転させて、散水方向を切り替えて遠くに散水できるシャワーヘッドを提供する。【解決手段】シャワーホース６に繋がる本体部１０と、散水板１２を有する回転部１１で構成され、回転部１１は本体部１０に斜めの回転面Ｐで回動可能に連結され、回転部１１を回動させることによりシャワーホース６に対する散水板１２からの散水方向を切り替えできるように構成する。【選択図】図１
2010046231.tif 000002
【特許請求の範囲】
【請求項１】
シャワーホースに繋がる本体部と、散水板を有する回転部で構成され、
前記回転部は前記本体部に斜めの回転面で回動可能に連結され、該回転部を回動させることにより前記シャワーホースに対する前記散水板からの散水方向を切り替えできるように構成した
ことを特徴とするシャワーヘッド。
【請求項２】
前記回転面が、シャワーホースの軸線方向に対し略４５度の角度に傾斜されていることを特徴とする請求項１に記載のシャワーヘッド。
【請求項３】
前記回転面には、前記回転部側から円筒状の軸部が設けられ、前記本体部には前記軸部が回転可能に嵌合される軸受部が設けられてなり、
前記軸部の外周には弾性を有する凸部が形成され、該凸部が係脱可能に係合する凹部が前記軸受部の内周に形成されているとともに、該凹部は、前記散水板からの散水の方向が前記シャワーホースに対し直角および平行となる位置に形成されている
ことを特徴とする請求項２に記載のシャワーヘッド。
【発明の詳細な説明】
【技術分野】
【０００１】
本発明は、散水板からの散水方向を切り替えできるシャワーヘッドに関するものである。
【背景技術】
【０００２】
従来、特許文献１に開示されているようなシャワーヘッドが存在し、このシャワーヘッドの散水板からの散水方向は一定であり、一定の散水方向にのみ散水できるものであった。
【特許文献１】特開平８−２８９８５４号公報
【発明の開示】
【発明が解決しようとする課題】
【０００３】
上記特許文献１に開示されているようなシャワーヘッドを、例えば図２０のように浴室１内に設置する場合を検討する。
図２０において、浴室１には浴槽２と洗い場３が設けられ、洗い場３側の側壁には、カウンター４と、その上方に鏡５が設けられ、浴槽２と反対側の鏡５の図示右側位置に、シャワーホース６に接続されたシャワーヘッド７を、シャワーフック８を介して着脱可能に設置した場合、シャワーヘッド７をシャワーフック８から取り外して浴室１内に散水する際、図２１の平面図で示すように、シャワーヘッド７からの散水が浴槽２の隅角部まで届きにくく、図２２に示すように、シャワーホース６に対しシャワーヘッド７を略９０度に立てた状態でシャワーヘッド７から散水させることとなるため、より散水距離が短くなり、浴槽２の隅部まで良好に散水させることが困難となり、浴室１の掃除がしにくくなるという問題点があった。
なお、シャワーホース６の長さを長くしておけば隅角部まで散水させることができるが、そのような場合は、シャワーホースが長すぎて扱いにくくなるという別の問題が発生する。
また、隅角部まで散水させるために鏡５の図２０における左側部にシャワーフック８を設け、シャワーホース６およびシャワーヘッド７を鏡５の左側面に設置して、浴槽２側の隅角部への散水が可能となるようにすることも考えられるが、そのような場合には、洗い場３内でのシャワーヘッド７の使い勝手が悪くなるという問題点があった。
【課題を解決するための手段】
【０００４】
本発明は、浴室の隅角部などの遠い位置にも良好に散水しやすいシャワーヘッドの提供を目的の１つとし、この目的の少なくとも一部を達成するために以下の手段を採った。
本発明のシャワーヘッドは、シャワーホースに繋がる本体部と、散水板を有する回転部で構成され、該回転部は前記本体部に斜めの回転面で回動可能に連結され、前記回転部を回動させることにより前記シャワーホースに対する前記散水板からの散水方向を切り替えできるように構成したことを要旨とする。
【発明の効果】
【０００５】
本発明のシャワーヘッドでは、本体部に対し回転部を回動させて散水板からの散水方向を切り替えることができ、遠くの浴室の隅角部などに散水する場合には、シャワーホースの延長方向、即ちシャワーホースに対し平行状に散水板から散水させて、良好に浴室の隅角部などに散水できるものとなる。
【０００６】
また、本発明のシャワーヘッドにおいて、前記回転面が、シャワーホースの軸線方向に対し略４５度の角度に傾斜されている構成とすることもできる。
こうすれば、シャワーホースに対する散水方向を、直角あるいは平行に切り替えて、散水板から散水させることができるものとなる。
【０００７】
また、本発明のシャワーヘッドにおいて、前記回転面には、前記回転部側から円筒状の軸部が設けられ、前記本体部には前記軸部が回転可能に嵌合される軸受部が設けられてなり、前記軸部の外周には弾性を有する凸部が形成され、該凸部が係脱可能に係合する凹部が前記軸受部の内周に形成されているとともに、該凹部は、前記散水板からの散水の方向が前記シャワーホースに対し直角および平行となる位置に形成されている構成とすることもできる。
こうすれば、本体部に対し回転部を良好に回動させることができ、回転部を回転させて散水方向を切り替える際に、凸部が凹部内に係合することで、シャワーホースに対し直角あるいは平行となる位置に散水板を良好に配置させて、散水板からの散水方向を切り替えることができ、しかも、切り替え時に凹部内に凸部がカチッと嵌まり込んで、節度感をもって所定の散水角度に回転部を位置決めできるものとなる。
【発明を実施するための最良の形態】
【０００８】
次に、本発明を実施するための最良の形態を実施例を用いて説明する。
【実施例１】
【０００９】
図１は、本発明のシャワーヘッドの使用状態の斜視図であり、シャワーヘッド７は、シャワーホース６に繋がる本体部１０と、この本体部１０に対し斜めの回転面Ｐで回動可能に連結された回転部１１で構成されており、回転部１１の先端には散水板１２が設けられている。
この図１の状態では、シャワーホース６と平行状に散水板１２から散水させることができ、即ちシャワーホース６の延長方向に散水板１２から散水させることができるため、図２の浴室の平面図で示すように、本体部１０を手で握り、散水板１２からシャワー水を噴出させて浴槽２の隅角部まで良好に散水させて、隅角部等を良好に清掃することができるものとなる。
【００１０】
このシャワーヘッド７の拡大図を図３に示し、また図４では、散水方向を切り替えた状態を示す。
即ち、図３では、散水板１２からシャワーホース６に対し平行に散水させることができ、図４の状態では、散水板１２からシャワーホース６に対し直角方向に散水させることができるものである。
シャワーヘッド７の本体部１０の先端には、シャワーホース６の軸線方向に対しαで示す４５度の角度に傾斜した回転面Ｐが形成されており、この回転面Ｐに回動可能に回転部１１が連結されて構成されている。
【００１１】
図５には、本体部１０と回転部１１の内部構造を断面拡大図で示しており、また図６は、図５のＡ−Ａ線断面図であり、図７は、図６のＢ−Ｂ線断面図である。また図８は、回転部側の軸部の拡大斜視図であり、図９は、本体部と回転部を分離させた状態の斜視構成図である。
【００１２】
先ず、本体部１０を説明すると、本体部１０内には、シャワーホース６から湯水が導入される水路１０ａが形成されており、この水路１０ａと連通して、円形内周面を有する軸受部１０ｂが回転面Ｐ側へ貫通状に形成されている。
この軸受部１０ｂは、シャワーホース６に対し４５度の傾斜面で形成された回転面Ｐに対し直交状に貫通形成されており、軸受部１０ｂの内周面には、凹み状にＣリング溝１０ｃが形成されている。
また、軸受部１０ｂの回転面Ｐ側の内周面には、対向状に一対のクリック凹部１０ｄ，１０ｄが凹み状に形成されており、一対のクリック凹部１０ｄは、回転部１１が１８０度回転される位置にそれぞれ形成されている。
【００１３】
一方、回転部１１は、本体部１０の回転面Ｐと対応する４５度の傾斜角度の回転面Ｐを備え、この回転面Ｐ中央から回転面Ｐに対し直交状に外側へ突出して軸部１１ｃが一体形成され、この軸部１１ｃ内には、本体部１０の水路１０ａと連通する軸孔１１ｂが形成されており、軸孔１１ｂと連通して回転部１１内には空間１１ａが形成され、空間１１ａを蓋するように先端側の面に、多数の散水孔１２ａを有する散水板１２が一体形成されている。
この回転部１１の軸部１１ｃの外周には、本体部１０のＣリング溝１０ｃと整合する位置に凹み状にＣリング溝１１ｄが形成されており、さらに下方側にＯリング溝１１ｅが凹み状に形成されている。
また、軸部１１ｃの回転面Ｐ側外周には、半径方向へ揺動可能に弾性片１１ｆが形成されており、この弾性片１１ｆの先端に、外側へ突出状にクリック凸部１１ｇが一体形成されている。
【００１４】
図５および図９に示すように、回転部の軸部１１ｃに形成されたＯリング溝１１ｅ内に止水用のＯリング１４を嵌め込み、また、軸部１１ｃのＣリング溝１１ｄ内にＣリング１３を嵌め込んだ状態で、本体部１０の軸受部１０ｂ内に回転部１１の軸部１１ｃを嵌め込み、Ｃリング１３をバネ力で本体部のＣリング溝１０ｃ内に嵌合させることで、Ｃリング１３を介して本体部１０に回転部１１が回動可能に固定されることとなり、この状態では、本体部１０の回転面Ｐと回転部１１の回転面Ｐがほぼ当接状態となる。
【００１５】
なお、回転部１１に形成されているクリック凸部１１ｇが、本体部１０のクリック凹部１０ｄ内に弾性片１１ｆの付勢力によりカチッと嵌まり込み、これにより図３のような状態に本体部１０に対し回転部１１を配置固定させることができ、また、回転部１１を本体部１０に対し時計回りに１８０度回転させることで、クリック凸部１１ｇが対向する側のクリック凹部１０ｄに嵌まり込んで、図４のような状態に回転部１１を配置固定させることができるものである。
【００１６】
このようにクリック凸部１１ｇが、対向状に配置された何れ側のクリック凹部１０ｄに節度感をもってカチッと嵌まり込んで、図３のように散水板１２からの散水方向をシャワーホース６に対し平行にすることができ、また、回転部１１を１８０度回転させて、図４のように散水板１２からの散水方向をシャワーホース６に対し直角方向となるように切り替えることができるものである。
即ち、散水板１２から遠い位置の浴室の隅角部等を掃除する際には、図３のような状態で使用することができ、また、通常のシャワーの使用状態、即ち、洗い場での洗髪等の際には、図４のような状態でシャワーヘッド７を使用することができるものである。
【００１７】
なお、図１０および図１１には変更例を示す。
この図１０および図１１に示すシャワーヘッド７は、本体部１０および回転部１１を共に外周形状を四角形状にしたものであり、回転面Ｐの傾斜角度はシャワーホース６の軸線方向に対し４５度に設定されている。
なお、この場合でも、回転部１１の軸部１１ｃの外周形状は円形であり、また、本体部１０側の軸受部１０ｂの内周形状も円形である。
【００１８】
このような形状のシャワーヘッド７であっても、図１０のように、散水板１２からシャワーホース６に対し平行に散水させることができ、また、図１１のように、回転部１１を回転させて、シャワーホース６に対し直角方向に散水板１２から散水させることができるものである。
即ち、図１０では、散水板１２から浴室内の隅角部に散水させて良好に掃除等に使用することができ、また、図１１では、通常のシャワーとして洗髪等に使用することができるものである。
【００１９】
次に、図１２および図１３には更なる変更例を示す。
図１２および図１３では、回転部１１の外周側面に散水板１２が形成されたものである。本体部１０と回転部１１の回転面Ｐのシャワーホース６の軸線方向に対する傾斜角度は４５度に設定されている。
このような構造のシャワーヘッド７においても、図１２のように回転部１１を配置して、シャワーホース６の軸線方向に対し直角に散水板１２から散水させることができ、また、図１３のように、回転部１１を１８０度回転させて、シャワーホース６の軸線方向に対し平行に散水板１２から散水させることができるものである。
【００２０】
なお、図１４および図１５は更なる変更例であり、図１４および図１５では、本体部１０を短く、回転部１１を長くして、この回転部１１を手で握って使用できるように構成したものである。
本例においても、回転面Ｐの傾斜角度は４５度であり、図１４のように回転部１１を配置して、シャワーホース６に対し散水板１２から直角方向に散水させることができ、また、図１５のように、回転部１１を回転させることで、シャワーホース６に対し平行状に散水板１２から散水させることができるものである。
【実施例２】
【００２１】
次に、図１６および図１７で示すシャワーヘッド７は、本体部１０と回転部１１の回転面Ｐの傾斜角αを２２．５度に設定したものであり、本体部１０側の軸受部１０ｂおよび回転部１１側の軸部１１ｃなどの構成は、図５のものと同様である。
このように図１６および図１７のシャワーヘッド７は、回転面Ｐの傾斜角度αが２２．５度であるため、図１６のように、本体部１０に対し回転部１１を連続した円柱状のものとして使用することができるとともに、回転面Ｐを介して回転部１１を本体部１０に対し１８０度回転させることで、図１７のように、本体部１０に対する回転部１１の傾斜角度ｋが４５度となるように回転部１１を配置固定して使用することができるものである。
即ち、図１６では、シャワーホース６に対し直角方向に散水板１２から散水させることができ、図１７の状態では、シャワーホースに対し４５度となる角度で散水板１２から散水させることができるものである。
【００２２】
図１８および図１９は第２実施例の変更例であり、図１８および図１９では、本体部１０の長さを短くし、回転部１１を手で握ることのできる長さの大なるものに設定したものであり、回転部１１の先端側の側面外周に散水板１２が形成されている。
本例においても、本体部１０と回転部１１の接合する回転面Ｐは２２．５度の傾斜に設定されており、図１８のように、シャワーホース６に対し散水板１２から直角方向に散水させることができるとともに、図１９のように、本体部１０に対し回転部１１の傾斜角度ｋが４５度となるように回転部１１を傾斜させて使用することができるものとなる。
【図面の簡単な説明】
【００２３】
【図１】第１実施例のシャワーヘッドの使用状態を示す斜視構成図である。
【図２】図１の状態でシャワーヘッドから浴槽の隅角部に散水させている状態の浴室の平面構成図である。
【図３】散水板からシャワーホースに対し平行に散水させている状態のシャワーヘッドの側面構成図である。
【図４】シャワーホースに対し直角方向に散水板から散水させている状態のシャワーヘッドの側面構成図である。
【図５】第１実施例のシャワーヘッドの本体部と回転部の内部構造を示す断面拡大構成図である。
【図６】図５のＡ−Ａ線断面図である。
【図７】図６のＢ−Ｂ線断面図である。
【図８】回転部の軸部の拡大斜視構成図である。
【図９】本体部と回転部を分離したシャワーヘッドの斜視構成図である。
【図１０】外周を四角形状としたシャワーヘッドの斜視構成図である。
【図１１】四角形状のシャワーヘッドの散水方向を切り替えた状態の斜視構成図である。
【図１２】変更例を示すシャワーヘッドの斜視構成図である。
【図１３】図１２の状態から散水方向を切り替えた状態の斜視構成図である。
【図１４】更に異なるシャワーヘッドの変更例の斜視構成図である。
【図１５】図１４の状態から散水方向を切り替えた状態の斜視構成図である。
【図１６】第２実施例のシャワーヘッドの斜視構成図である。
【図１７】図１６の状態から４５度の角度に回転部を配置して散水方向を切り替えた状態の斜視構成図である。
【図１８】第２実施例の変更例を示すシャワーヘッドの斜視構成図である。
【図１９】図１８の状態からシャワーヘッドの回転部を４５度の角度に切り替えた状態の斜視構成図である。
【図２０】従来の浴室内のシャワーヘッドの配置構成図である。
【図２１】従来の浴室の平面構成図である。
【図２２】従来のシャワーヘッドの使用状態図である。
【符号の説明】
【００２４】
１  浴室
３  洗い場
５  鏡
６  シャワーホース
７  シャワーヘッド
８  シャワーフック
１０  本体部
１０ａ  水路
１０ｂ  軸受部
１０ｃ  Ｃリング溝
１０ｄ  クリック凹部
１１  回転部
１１ａ  空間
１１ｂ  軸孔
１１ｃ  軸部
１１ｄ  Ｃリング溝
１１ｅ  Ｏリング溝
１１ｆ  弾性片
１１ｇ  クリック凸部
１２  散水板
１２ａ  散水孔
１３  Ｃリング
１４  Ｏリング
Ｐ  回転面
【図１】
2010046231.tif 000003
【図２】
2010046231.tif 000004
【図３】
2010046231.tif 000005
【図４】
2010046231.tif 000006
【図５】
2010046231.tif 000007
【図６】
2010046231.tif 000008
【図７】
2010046231.tif 000009
【図８】
2010046231.tif 000010
【図９】
2010046231.tif 000011
【図１０】
2010046231.tif 000012
【図１１】
2010046231.tif 000013
【図１２】
2010046231.tif 000014
【図１３】
2010046231.tif 000015
【図１４】
2010046231.tif 000016
【図１５】
2010046231.tif 000017
【図１６】
2010046231.tif 000018
【図１７】
2010046231.tif 000019
【図１８】
2010046231.tif 000020
【図１９】
2010046231.tif 000021
【図２０】
2010046231.tif 000022
【図２１】
2010046231.tif 000023
【図２２】
2010046231.tif 000024